(57)【要約】【課題】  長期間保存しても安定であり、かつ、臭気の少ない写真用漂白組成物を提供すること。【解決手段】  少なくとも０．００５モル／リットルの過酸漂白剤または過酸漂白剤を生成もしくは供給する化合物、および少なくとも０．００００５モル／リットルの環状アミノメタンジホスホン酸もしくはその塩を含んでなる写真用漂白組成物。【選択図】      なし【特許請求の範囲】
【請求項１】
少なくとも０．００５モル／リットルの過酸漂白剤または過酸漂白剤を生成もしくは供給する化合物、および少なくとも０．００００５モル／リットルの環状アミノメタンジホスホン酸もしくはその塩を含んでなる写真漂白用組成物。
【請求項２】
過酸漂白剤が０．０１〜３モル／リットルの量で存在する、過酸化水素または過酸化水素を供給する化合物であることを特徴とする請求項１に記載の組成物。
【請求項３】
錯化していないポリアミノポリカルボン酸、追加のポリホスホン酸、またはこれら化合物のどちらかの塩をさらに含んでなることを特徴とする請求項１に記載の組成物。
【請求項４】
写真用漂白剤として０．０１〜３モル／リットルの過酸化水素または過酸化水素を供給する化合物、０．０００１〜０．２５モル／リットルのモルホリノメタンジホスホン酸もしくはその塩、および１種または複数種の任意選択の追加のポリアミノポリホスホン酸もしくはその塩を含んでなるｐＨが１〜１１の写真漂白用組成物。
【請求項５】
Ａ）過酸漂白剤または過酸漂白剤を生成もしくは供給する化合物を含む第一の組成物、およびＢ）環状アミノメタンジホスホン酸もしくはその塩を含む第二の組成物を含んでなる写真処理キット。
【請求項６】
カラー写真材料を、少なくとも０．００５モル／リットルの過酸漂白剤または過酸漂白剤を生成もしくは供給する化合物、および少なくとも０．００００５モル／リットルの環状アミノメタンジホスホン酸もしくはその塩を含んでなる写真漂白用組成物と接触させることを含んでなるカラー画像の提供方法。
【発明の詳細な説明】
【技術分野】
【０００１】
一般に、本発明は写真に関し、そして、カラー写真材料においてカラー画像を提供するために使用される写真処理組成物および方法に関する。特に、過酸漂白剤および特定のポリホスホン酸を含有する写真用漂白組成物に関する。また、その漂白組成物のための写真処理キットおよび使用方法に関する。
【背景技術】
【０００２】
カラーハロゲン化銀写真の基本的な画像形成過程は、ハロゲン化銀カラー写真記録材料の化学線(光など)への露光および材料の湿式化学処理による有用画像の表示を含む。この湿式処理の基本的な工程は、ハロゲン化銀を銀に還元し、そして材料の露光領域に色素画像を形成する発色現像を含んでいる。金属銀を銀(I)に酸化させるための漂白中または漂白後に、一般に、銀イオンは、定着主薬として一般的に知られる銀溶剤中に溶解することによって除去される。
【０００３】
カラー写真処理用の最も一般的な漂白剤は、第二鉄［鉄(III)］イオンおよび有機キレートリガンド（例えばアミノポリカルボン酸など)の錯体であり、それらには多くの可能性があり、それらの全ては様々な写真漂白能力および生物分解能力を有する。
【０００４】
余り一般的でない漂白剤は、最も一般的な過酸である過酸化水素を含めて、過酸として知られるものである。これらの漂白剤は、より一般的な第二鉄イオンリガンド錯体に対して、環境問題の減少を含めて幾つかの利点を提供する。多数の刊行物が、過酸化物、過硫酸塩ならびに他の過酸漂白剤と写真処理におけるそれらの使用について記載する。
【０００５】
【特許文献１】米国特許第４，２７７，５５６号明細書
【特許文献２】米国特許第４，３０１，２３６号明細書
【特許文献３】米国特許第４，３２８，３０６号明細書
【特許文献４】米国特許第４，４４８，８７８号明細書
【特許文献５】米国特許第４，４５４，２２４号明細書
【特許文献６】米国特許第４，４５８，０１０号明細書
【特許文献７】米国特許第４，４８１，２９０号明細書
【特許文献８】米国特許第４，５０６，００７号明細書
【特許文献９】米国特許第４，５０８，８１６号明細書
【特許文献１０】米国特許第４，７１７，６４９号明細書
【特許文献１１】米国特許第４，８７３，１８０号明細書
【特許文献１２】米国特許第５，３１８，８８０号明細書
【特許文献１３】米国特許第５，４５１，４９１号明細書
【特許文献１４】米国特許第５，４６０，９２４号明細書
【特許文献１５】米国特許第５，４６４，７２８号明細書
【特許文献１６】米国特許第５，５０８，１５１号明細書
【特許文献１７】米国特許第５，５１０，２３２号明細書
【特許文献１８】米国特許第５，５２１，０５６号明細書
【特許文献１９】米国特許第５，５３８，８３４号明細書
【特許文献２０】米国特許第５，５４１，０４１号明細書
【特許文献２１】米国特許第５，５４７，８１６号明細書
【特許文献２２】米国特許第５，５５０，００９号明細書
【特許文献２３】米国特許第５，５５４，４９１号明細書
【特許文献２４】米国特許第５，５７８，４２８号明細書
【特許文献２５】米国特許第５，６１４，３５５号明細書
【特許文献２６】米国特許第５，６４１，６１５号明細書
【特許文献２７】米国特許第５，６４１，６１６号明細書
【特許文献２８】米国特許第５，６５６，４１６号明細書
【特許文献２９】米国特許第５，６８３，８５８号明細書
【特許文献３０】米国特許第５，６９１，１１２号明細書
【特許文献３１】米国特許第５，６９１，１１８号明細書
【特許文献３２】米国特許第５，６９１，１２２号明細書
【特許文献３３】米国特許第５，７６３，１４７号明細書
【特許文献３４】米国特許第５，７７３，２０２号明細書
【特許文献３５】米国特許第５，８８５，７５８号明細書
【特許文献３６】米国特許第５，９７２，５７９号明細書
【特許文献３７】欧州特許出願公開第０４２８１０１Ｂ１号明細書
【特許文献３８】国際公開第９２／０１９７２号パンフレット
【特許文献３９】国際公開第９２／０７３００号パンフレット
【発明の開示】
【発明が解決しようとする課題】
【０００６】
安全で使いやすく、写真に効果的で、そして環境面で許容できる写真処理溶液を提供することは写真工業全体に亙る願望である。一つの望ましい特性は、溶液がいやな臭のために不快でないということである。さらに、長期保存ないしは使用および急速漂白の提供によって分解することがある過酸漂白剤のいくつかを安定させる必要がある。
【０００７】
この技術分野で知られている多くの有用な写真用漂白溶液および処理方法にもかかわらず、安定性を改良した過酸漂白剤を含む高効率な写真用漂白組成物に対する継続的要求がある。
【課題を解決するための手段】
【０００８】
本発明は、少なくとも０．００５モル／リットルの過酸漂白剤または過酸漂白剤を生成もしくは供給する化合物、および少なくとも０．００００５モル／リットルの環状アミノメタンジホスホン酸もしくはその塩を含んでなる写真漂白用組成物によって写真技術に進歩を提供する。
【０００９】
本発明の好ましい態様では、写真漂白用組成物は、ｐＨが１〜１１であり、そして写真用漂白剤として０．０１〜３モル／リットルの過酸化水素または過酸化水素を供給する化合物、０．０００１〜０．２５モル／リットルのモルホリノメタンジホスホン酸もしくはその塩、および任意選択的な１種または複数種の追加のポリアミノポリホスホン酸もしくはその塩を含んでなる。
【００１０】
また、本発明は、Ａ）過酸漂白剤または過酸漂白剤を生成もしくは供給する化合物を含む第一の組成物、およびＢ）環状アミノメタンジホスホン酸もしくはその塩を含む第二の組成物を含んでなる写真処理キットを提供する。
キット中のこれらの組成物は液体または固体であることができる。
【００１１】
加えて、カラー画像を提供する方法は、カラー写真材料を、少なくとも０．００５モル／リットルの過酸漂白剤または過酸漂白剤を生成もしくは供給する化合物、および少なくとも０．００００５モル／リットルの環状アミノメタンジホスホン酸もしくはその塩を含んでなる写真漂白用組成物と接触させることを含んでなる。
【００１２】
好ましい態様では、写真処理方法は、Ａ）カラー写真材料を発色現像組成物と接触させること、およびＢ）カラー写真材料を少なくとも０．００５モル／リットルの過酸漂白剤または過酸漂白剤を生成もしくは供給する化合物、および少なくとも０．００００５モル／リットルの環状アミノメタンジホスホン酸もしくはその塩を含んでなる写真漂白用組成物と接触させることを含んでなる。
【００１３】
本発明は、例えばモルホリノメタンジホスホン酸などのシクロアミノメタンジホスホン酸と組み合わせた過酸類を、単独または他の金属イオン封鎖剤と組み合わせて酸性またはアルカリ性ｐＨ状態で含有する水系過酸漂白組成物（溶液または混合物）を含む。
【発明の効果】
【００１４】
これらの組成物は、臭気を減少させて、多種類のハロゲン化銀ベースの写真材料の漂白に使用することができる。
【発明を実施するための最良の形態】
【００１５】
写真漂白は、漂白組成物の第一の必須成分として１つまたは複数の過酸写真漂白剤を使用する１つのまたは複数の工程で本発明に従って実行される。そのような化合物は、水素、過硫酸のアルカリおよびアルカリ土類金属塩、過酸化物、過塩素酸塩、過硼酸塩、過ヨウ素酸塩、過燐酸塩、過炭酸塩、塩素酸塩、臭素酸塩、ヨウ素酸塩、およびメタ過ヨウ素酸塩を含むが、これらに限定されるわけではない。例えばケネスメイスンパブリケイションズ（Kenneth Mason Publications, Ltd., (Dudley House, 12 North Street, Emsworth, Hampshire PO10 7DQ, England））によって発行されたリサーチディスクロージャー、１９９４年９月、アイテム３６５４４（Research Disclosure September 1994, Item 36544）（また、エムスワースデザイン（Emsworth Design、147 West 24th Street, New York, N.Y 10011)から入手可能）および前記「背景技術」でリストした特許の記載に従ってこれらの漂白剤を作ることができる。
【００１６】
特に有用な過酸は、過酸化物、過硫酸塩、および過ヨウ素酸塩である。過硫酸ナトリウムおよび過酸化水素は最も好ましい漂白剤である。
【００１７】
適当な過酸を生成または供給する化合物が本発明の組成物およびキットに存在することができる。例えば、過酸化水素の先駆体は、この技術分野でよく知られており、例えば過硼酸塩、過燐酸塩、過炭酸塩、過カルボン酸塩、および過酸化水素尿素を含む。さらに、電解によって溶液中で過酸化水素を発生させることができる。
【００１８】
「安定化」化合物として作用すると思われる本発明の組成物およびキットの第二の必須成分は、米国特許第４，８７３，１８０号明細書（Marchesano等）に記載されるような環状アミノメタンジホスホン酸（およびその塩）またはそれらの混合物である。「環状アミノ」基は、置換されたまたは無置換のアジリジノ、ピロリジノ、イミダゾリジノ、ピペリジノ、ピペラジノ、イソインドリノ、およびモルホリノ基を含めて（これらに限定されるわけではないが）、３〜６員環を含む。置換されたまたは無置換のモルホリノ基が好ましい。環状アミノ基の適当な置換基は、炭素原子数１〜４のアルキル基、ハロゲン、ニトロ基、シアノ基、アリール基、炭素原子数１〜４のアルコキシ基、アリールオキシ基、スルファモイル基、アシロキシ基、アシルアミノ基、ウレイド基、スルホンアミド基、水酸基、および米国特許第４，８７３，１８０号明細書の教示から当業者に容易に明らかな他のものを含むがこれらに限定されるわけではない。
【００１９】
２つのホスホン酸（またはそのアルカリ金属もしくはアンモニウム塩）を有するメチル基に「環状アミノ」基が結合されており、そしてメチル基の残りの原子価は、水素、置換されたもしくは無置換のアルキル基、または置換されたもしくは無置換のアリール基であることができる。
【００２０】
代表的な環状アミノメタンジホスホン酸（またはその塩）は上記米国特許第４，８７３，１８０号明細書の化合物７−１７である。このタイプの最も好ましい化合物は、ブデンハイム（Budenheim（ドイツ））からブデックス（BUDEXTM）５１０３として市販されているモルホリノメタンジホスホン酸またはその塩である。
【００２１】
漂白組成物は、１つまたは複数の化学的もしくは物理的な機能を提供する各種の任意の化学成分を含むことができ、これらの成分は緩衝剤、再ハロゲン化剤、金属イオン封鎖剤、漂白促進剤、殺生物剤、写真硬膜剤、および当業者に容易に明らかな他の材料を含むがこれらに限定されるわけではない。
【００２２】
１３以下（好ましくは１〜１１）のｐＨを維持するために、漂白組成物（水系である場合）中に１種または複数種の緩衝剤を含むことは有用である。
【００２３】
本発明の漂白組成物が、ｐＨ２未満（好ましくは１．５未満、さらに好ましくは１．２５未満）という強酸性である場合、硫酸、燐酸およびメタンスルホン酸を含めて（これらに限定されるわけではないが）、少なくとも１つの慣用の強酸を加えることによって、上記のｐＨを提供することができる。硫酸が好ましい。
【００２４】
漂白組成物のｐＨが３と６の間にある場合、緩衝剤が少なくとも１．５と７．５の間（好ましくは３〜６）のｐＫａ値を有し、そしてカルボキシル化ピリジンリガンドによる第二鉄イオンの錯体生成を実質的に中断しない限り、各種の有機または無機の緩衝剤のどれかでｐＨを維持することができる。さらに、緩衝剤が漂白組成物によって容易に酸化されることは好ましくなく、また、画像およびマスキング色素に悪影響することも好ましくない。そのような色素相互作用を避けるために、脂肪族または芳香族カルボン酸緩衝剤、特にスルホ置換脂肪族および芳香族カルボン酸緩衝剤などの好ましい緩衝剤を、上記緩衝剤（例えば、酢酸イオン）の塩基形態での濃度が０．５モル／リットル未満、さらに好ましくは０．２モル／リットル未満であるような濃度とｐＨ値で使用する。有用な緩衝剤の例は、酢酸塩、２−メチルアセテート、フタレート、４スルホフタレート、５−スルホイソフタル酸、スルホアセテート、スルホコハク酸、およびトリメリット酸塩である。また、ある態様では、リガンドは緩衝剤としても作用することができる。
【００２５】
漂白組成物が、ｐＨが一般的に７〜１３（好ましくは８〜１２、最も好ましくは９〜１１）の範囲であるアルカリ性である場合、上記ｐＨを慣用の弱または強塩基を添加することによって提供することができ、そして１または複数の適当な緩衝剤の存在によって維持することができる。これらの緩衝剤は炭酸ナトリウム、炭酸カリウム、硼酸ナトリウム、硼酸カリウム、燐酸ナトリウム、水酸化カルシウム、ケイ酸ナトリウム、βアラニン二酢酸、アルギニン、アスパラギン、エチレンジアミン、エチレンジアミン四酢酸、エチレンジアミンジスクシン酸、グリシン、ヒスチジン、イミダゾル、イソロイシン、ロイシン、メチルイミノ二酢酸、ニコチン、ニトリロ三酢酸、ピペリジン、プロリン、プリンおよびピロリジンを含むがこれらに限定されるものではない。炭酸ナトリウムおよび炭酸カリウムが好ましい。有用な緩衝剤または塩基の量は当業者には容易に理解されるであろう。
【００２６】
また、塩化物および／または臭化物イオンを含めて（これらに限定されるものではないが）再ハロゲン化剤を漂白組成物中に含むことが望ましい場合もある。
【００２７】
さらに、１または複数の錯化されてないポリアミノポリカルボン酸、追加のポリホスホン酸、またはこれらの化合物のどちらかの塩を漂白組成物中に含むことが望ましい場合もある。特に有用なポリアミノポリカルボン酸またはその塩は、下記構造Ｉで表わすことができる。
【００２８】
【化１】
2004264849.tif 000002
【００２９】
ここで、Ｌ、Ｌ’、Ｌl、Ｌ2、Ｌ3、Ｌ4、およびＬ5は、それぞれ独立に、連結基鎖中に１〜４個の炭素、酸素、硫黄または窒素原子をそれぞれ独立に有する、２価の脂肪族連結基であり、そしてＭは水素または１価カチオンである。
【００３０】
特に有用なポリアミノポリホスホン酸またはその塩はジエチレントリアミンペンタメチレンホスホン酸またはその塩である。
【００３１】
下記の表Ａは、本発明の漂白組成物の必須成分およびいくつかの任意成分の一般的および好ましい量の一覧表である。好ましい範囲を括弧内に記載し、そして全体の範囲は上限および下限での近似値であると考える。処理中に、組成物中に抽出された化学物質、補給速度、蒸発による水分損失および前の処理浴のどれかからの流入ならびに次の処理浴への流出によって、実際の濃度は変化する場合がある。量は混合物で存在することができる各種の成分の合計濃度である。
【００３２】
【表１】
2004264849.tif 000003
【００３３】
本発明の漂白組成物は、以下に説明されるようにチオ硫酸塩またはチオシアン酸塩などの１種または複数種の写真定着主薬も含む漂白定着組成物であることができる。チオ硫酸塩は、特に有用な定着主薬であり、少なくとも０．００５モル／リットルの量で存在することができる。定着主薬は本発明の写真処理キットの第二の組成物で特に有用である。
【００３４】
漂白組成物の成分を如何なる適当な順序でも一緒に混合することができる。組成物を液体または固体に調製して、しばらく保存することができるし、すぐに使用することもできる。それらを濃縮水溶液または機能強化溶液に調製することができ、そして必要であれば使用する前に希釈することができる。代わりに、粉体、タブレット、顆粒、またはペレットの形態で固体組成物としてそれらを調製することができ、そして適当な速度で適当な方法で処理容器または補給タンクに添加することができる。
【００３５】
写真処理の間、本発明の写真用漂白組成物を含めて各種の処理溶液の補給に慣用の手順を用いることができる。好ましくは、漂白溶液補給の速度は、処理写真材料１ｍ2当り３０００ｍｌを超えることはなく、２５０〜１５００ｍｌが好ましい。処理装置は、ミニラボ現像処理機およびより大規模な現像処理機を含めて、１または複数の処理タンクもしくは容器を有する如何なる適当な処理機であることができる。１もしくは複数のタンクまたは並流もしくは向流に配列されたステージで漂白工程を行なうことができる。
【００３６】
写真用漂白組成物を写真材料に適用する既知の方法のいずれでも本発明に都合よく使用することができる。これらの方法は、水系漂白組成物中にその材料を（撹拌または循環を伴ってまたは伴わずに）浸漬すること、漂白組成物で濡れたウェブまたはドラムの表面にその材料を接触させること、その材料に組成物を接触させるような方法で材料とカバーシートまたはウェブと重ね合わせること、またはその材料に漂白組成物を高速ジェットまたはスプレーによって適用することを含むが、これらにのみ限定されるわけではない。
【００３７】
一般に、２０〜６５℃（好ましくは３０〜６０℃）の温度で各漂白工程を行なうことができる。処理時間は一般に６００秒以下であり、好ましくは１０秒以上４００秒以下（さらに好ましくは１０〜２４０秒）である。
【００３８】
カラー画像の提供のために要求される他の処理工程は同様に急速であることができ、または、従来の時間および条件であることもできる。好ましくは、発色現像、定着、および／または安定化（またはリンス）などの他の処理工程は、同様に従来の時間より短い。例えば、発色現像は１２〜３６０秒間、定着工程は１２秒〜８分間、および安定化（またはリンス）は１５〜２４０秒間、各種の処理プロトコルで行なうことができる。幾つかの処理方法で２度以上漂白工程を行なうことができる。例えば、米国特許第５，６３３，１２４号明細書（Schmittou等）に記載されるように、処理方法は工程の数多くの組み合わせのどれかであることができる。
【００３９】
急速処理方法では、漂白のための総処理時間は１００秒以下（好ましくは４０〜１００秒）であることができる。
【００４０】
従って、カラーペーパー（例えば、プロセスＲＡ−４を使用）、カラー映画プリント（例えば、プロセスＥＣＰを使用）、カラーポジフィルム（例えば、プロセスＥ−６を使用）、およびカラーネガフィルム（例えば、プロセスＣ−４１を使用）を含む各種タイプのハロゲン化銀材料を処理するために、本発明を用いることができる。これらの処理方法のための各種の処理順序、条件、および溶液は、それらの明らかな変更も併せて当該技術分野でよく知られている。
【００４１】
発色現像と最初の漂白工程との間で酸性の停止液を使用することができる。一般に、「停止」液はｐＨが７未満の水溶液である。
【００４２】
従って、写真材料にカラー画像を得るために、本発明の一つの好ましい処理方法は、次の個々の処理工程、即ち発色現像、漂白、定着、および最後のリンスまたは安定化をこの順序で包含する。
【００４３】
本発明の実施によって処理された写真要素は、単層または多層カラー要素であることができる。多層カラー要素は可視スペクトルの３つの基本領域の各々に感応する色素画像形成ユニットを通常含む。各ユニットは、スペクトルの与えられた領域に感応する単一の乳剤層または複数の乳剤層を含むことができる。要素の層を当該技術分野で知られる各種の順序のいずれでも配列することができる。別の形式では、スペクトルの３つの基本領域の各々に感応する乳剤を単一の区画された層として配列することができる。また、要素は、フィルター層、中間層、下地層、オーバーコートおよび当業者に容易に明らかな他の層などの他の慣用の層を含むことができる。慣用の支持体の背面上に磁性裏打ちを含むことができる。
【００４４】
要素の構造ならびに構成成分に関するさらなる詳細および各種タイプの要素を処理する適当な方法は、前述のリサーチディスクロージャーパブリケイション（Research Disclosure publication）３８９５７に記載されている。本発明と共に使用することができる各種のシアン、イエローおよびマゼンタカラーカプラー（カプラーを形成するピラゾロンおよびピラゾロトリアゾール型マゼンタ色素を含めて）の使用が、当該技術分野のそのような教示の中に含まれる。好ましくは、着色された樹脂コート紙支持体を有するカラー印画紙を処理するために本発明を使用することができる。
【００４５】
本発明の写真用漂白組成物を如何なる適当な容器にも提供することができ、そしてまた、１または複数の他の処理組成物（例えば発色現像組成物など）を適当な容器中に有する処理キットに含めることができる。
【００４６】
適当な処理室もしくは処理容器、計量ポンプ、配管、および必要であれば搬送ローラーを含む如何なる適当な処理装置または処理機を使用することで、本発明の処理方法を行なうことができる。
【００４７】
処理溶液を入れる慣用の深いタンクを使用することで本発明に従った処理を行なうことができる。代わりに、ラックならびにタンク、または自動トレーデザインのどちらかを有する、「低容量薄タンク」処理システム、即ちＬＶＴＴとして当該技術分野で知られているものを使用することでそれを行なうことができる。これらの処理機は「ミニラボ」として知られるものに時々含まれる。そのような処理方法および装置は、例えば、米国特許第５，４３６，１１８号明細書（Carli等）およびそこに述べられた刊行物に記載される。
【００４８】
一般に、２もしくは３つの「パーツ」、または製造され、搬送され、そして別々にもしくは漂白「キット」として使用前に保管される個々の溶液を混合することによって本発明の漂白組成物を調製する。従って、本発明の漂白キットは、過酸漂白剤を含む第一の「パーツ」または溶液および環状アミノメタンジホスホン酸（または、その塩）を含む第二の「パーツ」または溶液を含むことができる。写真処理の前か写真処理中に適当な方法でその溶液を混合することができる。
【００４９】
本発明を使用することで得られるカラー画像を、慣用のデジタル手段でさらに電子的に処理し、伝達し、改変し、またはデジタルもしくは物理的な形態で保存することができる。
【実施例】
【００５０】
本発明の実施を説明するために以下の実施例を提供するが、本発明はこれらの実施例に限定されるものではない。
【００５１】
（実施例１）
この実施例では、下記の表Ｉに示したアルカリ性過酸化物漂白剤処方物を調製し、そして室温で７日間以上開口したガラス容器に保管した。定期的に脱イオン水を添加することによって、蒸発による容量減少を補った。残存過酸化物量およびｐＨ変化のために定期的に溶液を分析した。これらの測定結果を下記の表ＩＩに示す。
【００５２】
【表２】
2004264849.tif 000004
【００５３】
【表３】
2004264849.tif 000005
【００５４】
この検討は、本発明の漂白組成物が比較例Ａの組成物に比較して、７日後に沈殿を生成せず、そしてｐＨ１０で分解に対して非常に安定していたことを示す。この組成物および他の市販処理溶液を使用することで処理された市販カラー印画紙のサンプルは所望の画像を形成した。
【００５５】
（実施例２〜４）高濃度安定化化合物の使用
これらの実施例では、本発明の範囲内で高レベルの安定化化合物の効果を、安定化化合物および一般的な金属イオン封鎖剤であるアミノトリ（メチレンホスホン酸）ペンタナトリウム塩（デクェスト（DEQUEST（商標））２００６）の組み合わせと併せて評価した。下記の表ＩＩＩに記載したテスト組成物を実施例１と同じように評価した。残存過酸化物量およびｐＨ変化のために定期的に溶液を分析した。これらの測定結果を下記の表ＩＶに示す。
【００５６】
【表４】
2004264849.tif 000006
【００５７】
【表５】
2004264849.tif 000007
【００５８】
これらの結果は、本発明のアルカリ性の過酸化物漂白組成物において、モルホリノメタンジホスホン酸単独またはアミノトリ（メチレンホスホン酸）ペンタナトリウム塩と組み合わせての使用が、一般的な金属イオン封鎖剤である１−ヒドロキシエチリデン−１，１−ジホスホン酸またはアミノトリ（メチレンホスホン酸）ペンタナトリウム塩単独の使用を超えて過酸化物漂白剤の安定性を改良したことを示す。本発明の過酸化物組成物ではｐＨの変化がほとんど観測されなかった。
【００５９】
（実施例５〜７）鉄（ＩＩＩ）過酸化物漂白剤の安定化化合物
これらの実施例では、鉄（ＩＩＩ）含有過酸化物漂白組成物の安定性を、４．５のｐＨで各種濃度のモルホリノメタンジホスホン酸を使用することで評価した。下記の表Ｖに記載した組成物を実施例１と同じように評価した。残存過酸化物量およびｐＨ変化のために定期的に漂白組成物を分析した。これらの測定結果を下記の表ＶＩに示す。
【００６０】
【表６】
2004264849.tif 000008
【００６１】
【表７】
2004264849.tif 000009
【００６２】
これらの結果は、本発明に従った安定化化合物の添加によって酸性鉄リガンド過酸化物漂白組成物の安定性をかなり改良することができることを示す。ｐＨの僅かな増加がその組成物で観測された。市販カラー印画紙のサンプルが実施例６の漂白組成物（および他の市販処理組成物）を使用して処理され、許容できるカラー画像を提供した。
【００６３】
（実施例９および１０）各種の過酸漂白組成物
各種の過酸漂白組成物を調製して、評価した。下記の表ＶＩＩに記載した組成物を実施例１同じように評価した。残存過酸（ヨウ素酸および過硫酸イオン）量およびｐＨ変化のために定期的に漂白組成物を分析した。これらの測定結果を下記の表ＶＩＩＩに示す。しばらくの間保管した後、その組成物を用いて、市販カラー印画紙のサンプルを処理し、許容できるカラー画像を得た。
【００６４】
【表８】
2004264849.tif 000010
【００６５】
【表９】
2004264849.tif 000011
【００６６】
これらの結果は、本発明の組成物が沈殿を生成しなかったことを示す。モルホリノメタンジホスホン酸の使用は、８日後の過ヨウ素酸塩および過硫酸塩漂白組成物の安定性に悪影響を与えなかった。市販カラー印画紙のサンプルはこれらの組成物で処理されて、許容できるカラー画像を提供した。